(57)【要約】      （修正有）【課題】プラスチックシートの形状又は被覆シートの形状に工夫を凝らすことで、別の治具を用いることなく、錠剤を容易に取り出すことができるＰＴＰ包装シートを提供する。【解決手段】シート材の一面に錠剤ｔを収納する空間を有する凸形部１３が複数形成されたプラスチックシート１２と、凸形部１３に形成された、凸形部１３が変形する際の契機となる溝、凹み等の変形契機用凹部１７と、プラスチックシート１２の他面に貼着された、裂けやすい材質の被覆シート１５と、から成るＰＴＰ包装シートである。使用に際して、凸形部１３を指等で押すと、変形契機用凹部１７から容易に変形し、凸形部１３が潰れ、内部の錠剤ｔが被覆シート１５を裂き、又は破損することにより錠剤ｔを取り出すことができる。【選択図】図１
0003210032.tif 000002
【実用新案登録請求の範囲】
【請求項１】
シート材の一面に錠剤（ｔ）を収納する空間を有する凸形部（１３）が複数形成されたプラスチックシート（１２）と、
前記凸形部（１３）に形成された、該凸形部（１３）が変形する際の契機となる変形契機用凹部（１７）と、
前記プラスチックシート（１２）の他面に貼着された、裂けやすい材質の被覆シート（１５）と、から成り、
使用に際して、前記プラスチックシート（１２）の前記凸形部（１３）を指等で押すと、前記変形契機用凹部（１７）から容易に変形し、該凸形部（１３）が潰れ、内部の錠剤ｔが前記被覆シート（１５）を裂き、又は破損することにより該錠剤（ｔ）を取り出すことができるように構成した、ことを特徴とするＰＴＰ包装シート。
【請求項２】
前記変形契機用凹部（１７）は、前記凸形部（１３）に形成された一条の溝である、ことを特徴とする請求項１のＰＴＰ包装シート。
【請求項３】
前記変形契機用凹部（１７）は、前記凸形部（１３）に形成された数本の溝である、ことを特徴とする請求項１のＰＴＰ包装シート。
【請求項４】
前記変形契機用凹部（１７）は、前記凸形部（１３）に形成された三角錘又四角錘等の略角錘形状の凹みである、ことを特徴とする請求項１のＰＴＰ包装シート。
【請求項５】
シート材の一面に錠剤（ｔ）を収納する空間を有する凸形部（２４）が複数形成されたプラスチックシート（２２）と、
前記プラスチックシート（２２）の平坦部に、各凸形部（２４）に隣接して形成された剥がし片用折り線（２５）を有する剥がし片（２３）と、
前記剥がし片（２３）と共にプラスチックシート（２２）の他面に貼着された、裂けやすい材質の被覆シート（２６）と、から成り、
使用に際して、前記剥がし片（２３）を剥がし片用折り線（２５）で折り曲げると、前記プラスチックシート（２２）の本体から該剥がし片（２３）を分離でき、凸形部（２４）の開口（２７）から被覆シート（２６）を部分的に剥離し、収納された錠剤（ｔ）を取り出せるように構成した、ことを特徴とするＰＴＰ包装シート。
【請求項６】
前記剥がし片（２３）に滑り止めの凹凸面を形成した、ことを特徴とする請求項５のＰＴＰ包装シート。
【請求項７】
シート材の一面に錠剤（ｔ）を収納する空間を有する凸形部（３５）が複数形成されたプラスチックシート（３２）と、
前記プラスチックシート（３２）の他面に貼着された、裂けやすい材質の被覆シート（３３）と、
前記プラスチックシート（３２）と前記被覆シート（３３）の間であって、各凸形部（３５）の間に配置されるように貼着された、該被覆シート（３３）を部分的に割くことができる割きテープ（３４）と、から成り、
使用に際して、前記割きテープ（３４）を引くことにより、前記被覆シート（３３）の一部もプラスチックシート（３２）から同時に剥がし、前記凸形部（３５）の開口（３６）を被覆している該被覆シート（３３）を更に剥がすことで該錠剤（ｔ）を取り出せるように構成した、ことを特徴とするＰＴＰ包装シート。
【考案の詳細な説明】
【技術分野】
【０００１】
本考案は、錠剤の包装形態として普及しているＰＴＰ（Ｐｒｅｓｓ−Ｔｈｒｏｕｇｈ−Ｐａｃｋａｇｅ）包装シートに係り、特に収納されている錠剤を容易に取り出すことができるＰＴＰ包装シートに関する。
【背景技術】
【０００２】
ＰＴＰ包装シートは、錠剤が大気に触れることによる吸湿を防止し、紫外線などによる錠剤の変質を防止するために用いられている。包装シート自体の変形を防ぐことで内部の錠剤の破損を防止できるため、薬剤の包装材として普及している。ＰＴＰ包装シートは、１シートに錠剤を１０錠収納したもの、１４錠、２１錠、６錠など様々な種類がある。ＰＴＰ包装シートは、錠剤を清潔な状態で扱うことができ、錠剤が外から見えるため管理しやすいものでもある。
【０００３】
ＰＴＰ包装シート５１は、図１０（ａ）平面図、（ｂ）底面図、（ｃ）拡大断面図に示すように、錠剤の包装形態として、板状のシートに錠剤ｔの数に応じて凸形部５２が形成された長方形状のプラスチックシート５３と、このプラスチックシート５３の裏面、即ち凸形部５２の開口５４にアルミ箔等の裂けやすい材質の被覆シート５５を貼着して、その凸形部５２の中に錠剤ｔを収納するようにしたものである。
【０００４】
このＰＴＰ包装シート５１に収納された錠剤ｔを取り出すときは、図１１の取り出す状態図に示すように、図１１（ａ）の状態から、図１１（ｂ）と（ｃ）に示すように凸形部５２を被覆シート５５側に向けて指で押し込むことにより、この被覆シート５５を裂いて取り出すようになっている。ＰＴＰ包装シート５１には個々の錠剤ｔに切り離せるようにミシン目５６が設けられているが、ＰＴＰ包装シート５１ごとの誤飲を防止するために、２錠１組しか分離できないようにミシン目５６が設けられている。
【０００５】
一方、はさみ等の道具を用いずに、指先で凸形部５２を潰しながら被覆シート５５を裂くときに、収納されている錠剤ｔの形状により、簡単に裂けないことがあった。例えば、角がある錠剤はその角が被覆シート５５に当たり、その角があった部分が契機となって割けやすい。しかし、角がない丸い錠剤では、より強い押圧力でも凸形部５２を潰せず被覆シート５５を裂けないことがあった。
【０００６】
また、引張りによってある程度延びる合成樹脂製の被覆シート５５では、簡単に裂けないことがあった。更に、老人などの指先の力が弱い人にとって被覆シート５５を裂くことができないことがあった。
【０００７】
そこで、内部の錠剤を取り出す際に、老人や指先に障害を有する者であっても、簡単な操作によって容易に取り出せる冶具に関する技術が提案されている。例えば、特許文献１の特開２００５−２０４９３７公報「錠剤取出構造」のように、錠剤を２枚の合成樹脂シート間にて区画別に内封してなる包装材を挟持するようにした上側プレートと下側プレートとを有し、前記上側プレートに形成された大孔部の中央には押しボタンが設けられ、該押しボタンは下部に突出した押圧体を有すると共に前記大孔部の四方から延長された屈曲片で上下動自在に支持され、また前記下側プレートに形成された取出穴は前記大孔部よりも小径であって前記押圧体を挿通可能とする内径を有し、さらに前記上側プレートの大孔部の下部に沿って挟持用突起が形成されると共に、該挟持用突起に対向する支持突起が前記下側プレートの上部にて前記取出穴の周囲に形成された構造を有する錠剤取出構造が提案されている。
【先行技術文献】
【特許文献】
【０００８】
【特許文献１】特開２００５−２０４９３７号公報
【考案の概要】
【考案が解決しようとする課題】
【０００９】
しかし、特許文献１の「錠剤取出構造」は、押しボタンが設けられ、この先の押圧体がプラスチックシートの凸形部を押す構成である。押圧力を集中させて指先で凸形部を直接押すときに比較して強くなる程度であった。指先の筋力が低下した人にはこの錠剤取出構造の効果が低いという問題を有していた。
【００１０】
また、特許文献１の「錠剤取出構造」は、多数の種類の薬を摂取している人にとっては、ＰＴＰ包装シートの大きさの相違、凸形部の間隔の相違、凸形部の大きさ（錠剤の大きさ）自体の相違又は凸形部（錠剤）の数が異なる場合がある。１個の冶具だけではこのような形状、大きさが異なるＰＴＰ包装シートのすべてに用いることができなという問題を有していた。
【００１１】
本考案の考案者は、このような冶具を用いなくても、ＰＴＰ包装シート自体の構成に工夫を施すことでも錠剤を容易に取り出せることに着目した。ＰＴＰ包装シート本来の吸湿、紫外線などによる錠剤の変質を防ぐための密閉性の維持と、プラスチックシートの凸形部の変形、被覆シートの破損を防止しつつ、ＰＴＰ包装シートの構造に工夫を施せば錠剤を容易に取り出せると考えた。
【００１２】
本考案は、かかる問題点を解決するために創案されたものである。すなわち、本考案の目的は、プラスチックシートの形状又は被覆シートの形状に工夫を凝らすことで、別の治具を用いることなく、錠剤を容易に取り出すことができるＰＴＰ包装シートを提供することにある。
【課題を解決するための手段】
【００１３】
第１の本考案は、シート材の一面に錠剤（ｔ）を収納する空間を有する凸形部（１３）が複数形成されたプラスチックシート（１２）と、
前記凸形部（１３）に形成された、該凸形部（１３）が変形する際の契機となる変形契機用凹部（１７）と、
前記プラスチックシート（１２）の他面に貼着された、裂けやすい材質の被覆シート（１５）と、から成り、
使用に際して、前記プラスチックシート（１２）の前記凸形部（１３）を指等で押すと、前記変形契機用凹部（１７）から容易に変形し、該凸形部（１３）が潰れ、内部の錠剤ｔが前記被覆シート（１５）を裂き、又は破損することにより該錠剤（ｔ）を取り出すことができるように構成した、ことを特徴とする。
前記変形契機用凹部（１７）は、前記凸形部（１３）に形成された一条の溝、数本の溝又は三角錘又四角錘等の略角錘形状の凹みである。
【００１４】
第２の本考案は、シート材の一面に錠剤（ｔ）を収納する空間を有する凸形部（２４）が複数形成されたプラスチックシート（２２）と、
前記プラスチックシート（２２）の平坦部に、各凸形部（２４）に隣接して形成された剥がし片用折り線（２５）を有する剥がし片（２３）と、
前記剥がし片（２３）と共にプラスチックシート（２２）の他面に貼着された、裂けやすい材質の被覆シート（２６）と、から成り、
使用に際して、前記剥がし片（２３）を剥がし片用折り線（２５）で折り曲げると、前記プラスチックシート（２２）の本体から該剥がし片（２３）を分離でき、凸形部（２４）の開口（２７）から被覆シート（２６）を部分的に剥離し、収納された錠剤（ｔ）を取り出せるように構成した、ことを特徴とする。
前記剥がし片（２３）に滑り止めの凹凸面を形成することが好ましい。
【００１５】
第３の本考案は、シート材の一面に錠剤（ｔ）を収納する空間を有する凸形部（３５）が複数形成されたプラスチックシート（３２）と、
前記プラスチックシート（３２）の他面に貼着された、裂けやすい材質の被覆シート（３３）と、
前記プラスチックシート（３２）と前記被覆シート（３３）の間であって、各凸形部（３５）の間に配置されるように貼着された、該被覆シート（３３）を部分的に割くことができる割きテープ（３４）と、から成り、
使用に際して、前記割きテープ（３４）を引くことにより、前記被覆シート（３３）の一部もプラスチックシート（３２）から同時に剥がし、前記凸形部（３５）の開口（３６）を被覆している該被覆シート（３３）を更に剥がすことで該錠剤（ｔ）を取り出せるように構成した、ことを特徴とする。
【考案の効果】
【００１６】
第１の本考案では、ＰＴＰ包装シート（１１）の所定の凸形部（１３）を指等で押圧すると、凸形部（１３）の変形契機用凹部（１７）で変形する。一旦、凸形部（１３）が変形したら、この凸形部（１３）を更に潰していくと、内部の錠剤（ｔ）が被覆シート（１５）を裂き、又は破損することにより、錠剤（ｔ）を容易に取り出すことができる。
特に、変形契機用凹部（１７）が一条の溝から成るものでは、この一条の溝の長手方向の側方から指等で押圧する。これにより変形契機用凹部（１７）が変形しやすい。
【００１７】
第２の本考案では、ＰＴＰ包装シート（２１）の剥がし片（２３）を折り線（２５）で折り曲げると、プラスチックシート（２２）の本体から剥がし片（２３）を分離できる。このとき剥がし片（２３）には被覆シート（２６）が貼着された状態のままである。次にそのまま剥がし片（２３）と共に被覆シート（２６）を剥離し始めると凸形部（２４）部分の被覆シート（２６）のみを剥離できる。凸形部（２４）の開口（２７）から被覆シート（２６）を部分的に剥離し、収納された錠剤（ｔ）を容易に取り出すことができる。
【００１８】
第３の本考案では、ＰＴＰ包装シート（３１）から、割きテープ（３４）を引くことにより、被覆シート（３３）の一部をプラスチックシート（３２）から同時に剥がす。次に、錠剤（ｔ）の一区画分即ち凸形部（３５）まで割くと、錠剤（ｔ）を取り出すことができる。この動作を繰り返すことで、隣接する錠剤（ｔ）を容易に取り出すことができる。
【図面の簡単な説明】
【００１９】
【図１】実施例１のＰＴＰ包装シートを示し、（ａ）は平面図、（ｂ）は底面図、（ｃ）は拡大断面図である。
【図２】実施例１のＰＴＰ包装シートから錠剤を取り出す状態を示す拡大断面図であり、（ａ）は錠剤を取り出す前の状態、（ｂ）は凸形部を押圧する状態、（ｃ）は被覆シートを裂き、又は破損し錠剤を取り出す状態である。
【図３】実施例１のＰＴＰ包装シートの変形契機用凹部の変形例１を示し、（ａ）は拡大平面図、（ｂ）は拡大断面図である。
【図４】実施例１のＰＴＰ包装シートの変形契機用凹部の変形例２を示し、（ａ）は拡大平面図、（ｂ）は拡大断面図である。
【図５】実施例２のＰＴＰ包装シートを示し、（ａ）は平面図、（ｂ）は底面図、（ｃ）は拡大断面図である。
【図６】実施例２のＰＴＰ包装シートから錠剤を取り出す状態を示す拡大断面図であり、（ａ）は錠剤を取り出す前の状態、（ｂ）は剥がし片を折り線で折り曲げた状態、（ｃ）は剥がし片をプラスチックシートから分離した状態、（ｄ）は凸形部部分の被覆シートを剥離し始める状態、（ｅ）は被覆シートを剥離して錠剤を取り出す状態である。
【図７】実施例３のＰＴＰ包装シートを示し、（ａ）は平面図、（ｂ）は底面図、（ｃ）は拡大断面図である。
【図８】実施例３のＰＴＰ包装シートから錠剤を取り出す状態を示す全体の断面図であり、（ａ）は割きテープで被覆シートの一端を割き始めた状態、（ｂ）は割きテープで被覆シートの錠剤の一区画を割き錠剤を取り出す状態である。
【図９】実施例３のＰＴＰ包装シートから錠剤を取り出す状態を示す拡大断面図であり、（ａ）は錠剤を取り出す前の状態、（ｂ）は割きテープで凸形部部分の被覆シートを割き始める状態、（ｃ）は割きテープで被覆シートを割いて錠剤を取り出す状態である。
【図１０】従来のＰＴＰ包装シートを示し、（ａ）は平面図、（ｂ）は底面図、（ｃ）は拡大断面図である。
【図１１】従来のＰＴＰ包装シートから錠剤を取り出す状態を示す拡大断面図であり、（ａ）は錠剤を取り出す前の状態、（ｂ）は凸形部を押圧する状態、（ｃ）は被覆シートを裂き、又は破損し錠剤を取り出す状態である。
【考案を実施するための形態】
【００２０】
本考案は、平坦なシート材の一面に錠剤を収納する空間を有する凸形部が複数形成されたプラスチックシートと、凸形部に形成された、凸形部が変形する際の契機となる変形契機用凹部と、プラスチックシートの他面に貼着された、裂けやすい材質の被覆シートとから成るＰＴＰ包装シートである。
【実施例１】
【００２１】
以下、本考案の好ましい実施の形態を図面を参照して説明する。
図１は実施例１のＰＴＰ包装シートを示し、（ａ）は平面図、（ｂ）は底面図、（ｃ）は拡大断面図である。
本考案のＰＴＰ包装シート１１は、ポリプロピレン等の合成樹脂製のプラスチックシート１２と、このプラスチックシート１２を所定区画ごとに分け、その内部に錠剤ｔを収納するために複数の凸形部１３を形成し、各凸形部１３に錠剤ｔを収納し、この内部空間の周囲（開口部１４）を区画ごとにアルミ箔等の被覆シート１５を熱溶着等で圧着したものである。この実施例１のＰＴＰ包装シート１１は錠剤ｔを１０錠収納したものを示す。勿論この１０錠に限定されない。ＰＴＰ包装シート１１には個々の錠剤ｔに切り離せるように折り線１６が設けられているが、ＰＴＰ包装シート１１ごとの誤飲を防止するために、２錠１組しか分離できないように折り線１６が設けられている。
【００２２】
実施例１のＰＴＰ包装シート１１は、凸形部１３が変形する際の契機となる変形契機用凹部１７がこの凸形部１３に形成されたものである。ＰＴＰ包装シート１１から錠剤ｔを取り出す際に、凸形部１３を指等で押し、この凸形部１３を潰して内部の錠剤ｔが被覆シート１５を裂き、又は破損することにより錠剤ｔを取り出している。変形契機用凹部１７により凸形部１３が潰れやすくなる。
【００２３】
一般的な凸形部１３の形状は半球形状、略円錐台形状である。これを上方又は斜め上方から指で押しても、このプラスチックシート１２で形成された凸形部１３を容易に潰すことができない場合がある。そこで、実施例１のＰＴＰ包装シート１１は、凸形部１３に変形契機用凹部１７に形成した。この変形契機用凹部１７は文字通りその凹部が変形しやすいようになっている。この変形契機用凹部１７により、凸形部１３に外力（指の押圧力）が作用すると、その外力が変形契機用凹部１７に集中して変形しやすくなる。
この変形契機用凹部１７が変形すると凸形部１３全体が変形するように作用する。その結果、同じ押圧力（外力）でも凸形部１３を潰しやすくなる。この凸形部１３の内部の錠剤ｔが被覆シート１５を裂き、又は破損することにより錠剤ｔを取り出しやすくなる。
【００２４】
＜錠剤を取り出す状態の説明＞
図２は実施例１のＰＴＰ包装シートから錠剤を取り出す状態を示す拡大断面図であり、（ａ）は錠剤を取り出す前の状態、（ｂ）は凸形部を押圧する状態、（ｃ）は被覆シートを裂き、又は破損し錠剤を取り出す状態である。
実施例１のＰＴＰ包装シート１１から錠剤ｔを取り出す状態を説明する。先ず、図２（ａ）に示すようなＰＴＰ包装シート１１の所定の凸形部１３を指等で押圧する。凸形部１３の変形契機用凹部１７が一条の溝から成るものでは、この一条の溝の長手方向の側方から指等で押圧する。これにより変形契機用凹部１７が変形しやすくなる。
一旦、凸形部１３が変形したら、図２（ｂ）、（ｃ）に示すよう、凸形部１３を更に潰していく。この凸形部１３が潰れると、内部の錠剤ｔが被覆シート１５を裂き、又は破損することにより、錠剤ｔを取り出すことができる。
【００２５】
＜変形契機用凹部の変形例１＞
図３は実施例１のＰＴＰ包装シートの変形契機用凹部の変形例１を示し、（ａ）は拡大平面図、（ｂ）は拡大断面図である。
変形例１の変形契機用凹部１７は、凸形部１３に数本の溝が形成されたものである。実施例１の変形契機用凹部１７は、上述した一条の溝から成る凹み部に限定されない。凸形部１３に指の押圧力（外力）が作用すると、その外力が変形契機用凹部１７に集中しやすい形状であればよい。そこで、図示するように星型の凹みを形成した。このような形状の変形契機用凹部１７であっても、凸形部１３が変形しやすくなる。変形契機用凹部１７はこの星型の凹みに限定されないことは勿論である。
【００２６】
＜変形契機用凹部の変形例２＞
図４は実施例１のＰＴＰ包装シートの変形契機用凹部の変形例１を示し、（ａ）は拡大平面図、（ｂ）は拡大断面図である。
変形例２の変形契機用凹部１７は、凸形部１３に四角錘又三角錘等の略角錘形状の凹みが形成されたものである。凸形部１３に指の押圧力（外力）が作用すると、その外力が変形契機用凹部１７に集中しやすい形状であれば、溝に限定されない。凸形部１３に指の押圧力（外力）が作用すると、その外力が変形契機用凹部１７に集中しやすい形状であればよい。そこで、図示するように角錘形状の凹みを形成した。このような形状の変形契機用凹部であっても、凸形部１３が変形しやすくなる。
なお、変形例２の変形契機用凹部１７は、凸形部１３内において錠剤ｔを安定的に保持する機能を有する。
【実施例２】
【００２７】
図５は実施例２のＰＴＰ包装シートを示し、（ａ）は平面図、（ｂ）は底面図、（ｃ）は拡大断面図である。
実施例２のＰＴＰ包装シート２１は、プラスチックシート２２に剥がし片２３が形成されたものである。この剥がし片２３は、プラスチックシート２２の平坦部に、各凸形部２４に隣接して形成されている。その他の構成は、実施例１のＰＴＰ包装シート１１の構成と略同様である。実施例２のＰＴＰ包装シート２１は、一面に錠剤ｔを収納する空間を有する凸形部２４が複数形成されたプラスチックシート２２と、プラスチックシート２２の平坦部に、各凸形部２４に隣接して形成された剥がし片用折り線２５を有する剥がし片２３と、この剥がし片２３と共にプラスチックシート２２の他面に貼着された、裂けやすい材質の被覆シート２６とから成るものである。
【００２８】
実施例２のＰＴＰ包装シート２１は、使用に際して、剥がし片２３を折り線２５で折り曲げると、プラスチックシート２２の本体から剥がし片２３を分離でき、凸形部２４の開口２７から被覆シート２６を部分的に剥離し、収納された錠剤ｔを取り出せるように第１ミシン目２８が設けられている。更に、１回の錠剤ｔを取り出す際に、他の区域（凸形部２４）の被覆シート２６を剥離しないように、図５（ｂ）に示すように、被覆シート２６のみに第２ミシン目２９が設けられている（紙面上縦方向に記載されている。）。
実施例２のＰＴＰ包装シート２１には、ＰＴＰ包装シート２１ごとの誤飲を防止するために、２錠１組しか分離できないように折り線３０が設けられている。
【００２９】
なお、剥がし片２３には細かい凹凸、またはなし地状の滑り止め処理（図示せず）を形成することもできる。剥がし片２３とプラスチックシート２２の本体との境界線は、剥がし片用折り線２５が形成されているが、ＰＴＰ包装シート２１の大きさ、種類に応じてはこの剥がし片２３が折りづらい場合がある。そこで、剥がし片２３に滑り止め処理を施すとよい（図示していない）。例えば、剥がし片２３に細かい凹凸を形成したり、端縁をやや折り曲げるなどの形状にすることができる。
【００３０】
＜錠剤を取り出す状態の説明＞
図６は実施例２のＰＴＰ包装シートから錠剤を取り出す状態を示す拡大断面図であり、（ａ）は錠剤を取り出す前の状態、（ｂ）は剥がし片を折り線で折り曲げた状態、（ｃ）は剥がし片をプラスチックシートから分離した状態、（ｄ）は凸形部部分の被覆シートを剥離し始める状態、（ｅ）は被覆シートを剥離して錠剤を取り出す状態である。
先ず、図６（ｂ）と（ｃ）に示すように、ＰＴＰ包装シート２１の剥がし片２３を折り線２５で折り曲げると、プラスチックシート２２の本体から剥がし片２３を分離できる。このとき剥がし片２３には被覆シート２６が貼着された状態のままである。また、第１ミシン目２８と第２ミシン目２９により取り出したい錠剤ｔの凸形部２４のみの被覆シート２６を剥離できる。
【００３１】
次に、図６（ｄ）と（ｅ）に示すように、そのまま剥がし片２３と共に被覆シート２６を剥離し始めると凸形部２４部分の被覆シート２６のみを剥離できる。凸形部２４の開口２７から被覆シート２６を部分的に剥離し、収納された錠剤ｔを取り出すことができる。
【実施例３】
【００３２】
図７は実施例３のＰＴＰ包装シートを示し、（ａ）は平面図、（ｂ）は底面図、（ｃ）は拡大断面図である。
実施例３のＰＴＰ包装シート３１は、プラスチックシート３２と被覆シート３３の間に割きテープ３４を挟んだものである。この割きテープ３４は使用に際して、被覆シート３３を部分的に割いて錠剤ｔを取り出せるようにしたものである。その他の構成は、実施例１のＰＴＰ包装シート１１の構成と略同様である。
割きテープ３４は被覆シート３３を割ける程度の強度を有するテープである。例えば、塩化ビニル等のテープを用いる。図示例では、錠剤ｔが２列に配列されているので２本の割きテープ３４を１枚のＰＴＰ包装シート３１に取り付けた。この錠剤ｔの列に応じて割きテープ３４を取り付ける。
【００３３】
なお、実施例３のＰＴＰ包装シート３１には、被覆シート３３を割くときに、隣接する錠剤ｔの区画（凸形部３５の開口３６）を被覆している被覆シート３３まで割かないように、図７（ｂ）に示すように被覆シート３３に長手方向のミシン目３７を設けることが好ましい。同様に割きテープ３４の割く方向にも余分に割かないように短手方向のミシン目３８もそれぞれ設けることが好ましい。
【００３４】
＜錠剤を取り出す状態の説明＞
図８は実施例３のＰＴＰ包装シートから錠剤を取り出す状態を示す全体の断面図であり、（ａ）は割きテープで被覆シートの一端を割き始めた状態、（ｂ）はテープで被覆シートの錠剤の一区画を割き錠剤を取り出す状態である。図９は実施例３のＰＴＰ包装シートから錠剤を取り出す状態を示す拡大断面図であり、（ａ）は錠剤を取り出す前の状態、（ｂ）は割きテープで凸形部部分の被覆シートを割き始める状態、（ｃ）は割きテープで被覆シートを割いて錠剤を取り出す状態である。
先ず、図９（ａ）の状態のＰＴＰ包装シート３１から、割きテープ３４を引くことにより、被覆シート３３の一部もプラスチックシート３２から同時に剥がすことができ、図８（ａ）、図９（ｂ）に示す状態になる。この状態ではまだ錠剤ｔを取り出すことはできない。次に、図８（ｂ）、図９（ｃ）に示すように、錠剤ｔの一区画分即ち凸形部３５まで割くと、錠剤ｔを取り出すことができる。この動作を繰り返すことで、隣接する錠剤ｔを取り出すことができる。
【００３５】
なお、本考案は、プラスチックシート１２，２２，３２の形状又は被覆シート１５，２６，３３の形状に工夫を凝らすことで、別の治具を用いることなく、錠剤ｔを容易に取り出すことができる構成であれば、上述した考案の実施の形態に限定されず、本考案の要旨を逸脱しない範囲で種々変更できることは勿論である。
【産業上の利用可能性】
【００３６】
本考案のＰＴＰ包装シートは、錠剤即ち薬剤に限定されず、菓子、栄養剤、その他の吸湿防止、紫外線防止による変質防止が必要な物質であれば利用することができる。
【符号の説明】
【００３７】
１１  ＰＴＰ包装シート
１２  プラスチックシート
１３  凸形部
１５  被覆シート
１７  変形契機用凹部
２１  ＰＴＰ包装シート
２２  プラスチックシート
２３  剥がし片
２４  凸形部
２５  剥がし片用折り線
２６  被覆シート
２７  開口
３１  ＰＴＰ包装シート
３２  プラスチックシート
３３  被覆シート
３４  割きテープ
３５  凸形部
３６  開口
ｔ  錠剤
【図１】
0003210032.tif 000003
【図２】
0003210032.tif 000004
【図３】
0003210032.tif 000005
【図４】
0003210032.tif 000006
【図５】
0003210032.tif 000007
【図６】
0003210032.tif 000008
【図７】
0003210032.tif 000009
【図８】
0003210032.tif 000010
【図９】
0003210032.tif 000011
【図１０】
0003210032.tif 000012
【図１１】
0003210032.tif 000013